(57)【要約】      （修正有）【課題】娯楽施設等に設置される卓球設備であって、魅力を高める卓球設備を提供する。【解決手段】卓球設備１０は、少なくとも一部の視認可能な位置に蛍光物質が用いられた、卓球をするための卓球用具セット１２と、蛍光物質を発光させるための光を照射する照射手段４０と、音楽を流すための音響機器６０とを含んでいる。これにより、卓球をプレイしている使用者に対して、蛍光物質の発光による幻想的な視覚的刺激と、音楽によるリズミカルな聴覚的刺激との双方を与えることができる。このため、単純に卓球を楽しむだけでなく、音楽や光を取り入れた新たな卓球のプレイスタイルを確立することができ、卓球設備１０の魅力を高めることが可能となる。【選択図】図１
0003222214.tif 000002
【実用新案登録請求の範囲】
【請求項１】
少なくとも一部の視認可能な位置に蛍光物質が用いられた、卓球をするための卓球用具セットと、
前記蛍光物質を発光させるための光を照射する照射手段と、
音楽を流すための音響機器と、を含むことを特徴とする卓球設備。
【請求項２】
前記卓球用具セットは、ラケット、ボール、ネット、及び、卓球台を含み、
前記蛍光物質が、前記ラケット、前記ボール、前記ネット、及び、前記卓球台の全てに用いられていることを特徴とする請求項１記載の卓球設備。
【請求項３】
前記ラケットの打球部の外周面と、前記ボールの表面の少なくとも一部と、前記卓球台に設置された状態の前記ネットの上下端と、前記卓球台のサイドライン及びエンドラインとに、前記蛍光物質が用いられていることを特徴とする請求項２記載の卓球設備。
【請求項４】
前記音響機器は、天吊りのスピーカーと、天吊りのサブウーファーとを含むことを特徴とする請求項１から３のいずれか１項記載の卓球設備。
【請求項５】
前記照射手段により照射される光と、前記音響機器により流される音楽とが連動していることを特徴とする請求項１から４のいずれか１項記載の卓球設備。
【考案の詳細な説明】
【技術分野】
【０００１】
本考案は、娯楽施設等に設置される卓球設備に関するものである。
【背景技術】
【０００２】
近年、特に世界レベルで活躍する若手選手の影響もあり、卓球の人気が高まっているが、卓球にはまだ地味な印象があることは否定できず、そのイメージを払拭するような発案も為されている。例えば、特許文献１には、卓球用ボールや卓球用ラケットのラバー面に、偏光反射材等のイルミネーション輝光を発する構造を採用したものが開示されており、これによって視認性やファッション性の改善を図っている。又、特許文献２には、蛍光塗料を塗装した卓球台をブラックライトで照らすと共に、卓球台の天板にピンポン球が接触したタイミングで電子音を発生させることで、幻想的な卓球を楽しむことができるとされる発明が開示されている。
【先行技術文献】
【特許文献】
【０００３】
【特許文献１】特開２０００−３３１号公報
【特許文献２】特開２００３−１２６３１７号公報
【考案の概要】
【考案が解決しようとする課題】
【０００４】
しかしながら、上述した従来の発明の双方には、まだ改善の余地がある。
本考案は上記課題に鑑みてなされたものであり、その目的とするところは、卓球設備の魅力を高めることにある。
【課題を解決するための手段】
【０００５】
（考案の態様）
以下の考案の態様は、本考案の構成を例示するものであり、本考案の多様な構成の理解を容易にするために、項別けして説明するものである。各項は、本考案の技術的範囲を限定するものではなく、考案を実施するための最良の形態を参酌しつつ、各項の構成要素の一部を置換し、削除し、又は、更に他の構成要素を付加したものについても、本願考案の技術的範囲に含まれ得るものである。
【０００６】
（１）少なくとも一部の視認可能な位置に蛍光物質が用いられた、卓球をするための卓球用具セットと、前記蛍光物質を発光させるための光を照射する照射手段と、音楽を流すための音響機器と、を含むことを特徴とする卓球設備（請求項１）。
【０００７】
本項に記載の卓球設備は、卓球をするための卓球用具セット、照射手段、及び、音響機器を含み、卓球用具セットには、少なくとも一部の視認可能な位置に蛍光物質が用いられている。照射手段は、卓球用具セットに用いられている蛍光物質を発光させるための光を照射するもの、すなわち、所謂ブラックライトと呼ばれるものであり、この照射手段に照らされた卓球用具セットは、蛍光物質が用いられている部分が発光することになる。更に、音響機器は、卓球設備が設置されるエリアに音楽を流すものであり、これにより、卓球をプレイしている使用者に対して、蛍光物質の発光による幻想的な視覚的刺激と、音楽によるリズミカルな聴覚的刺激との双方が与えられ、使用者は高揚感を得られることになる。このため、単純に卓球を楽しむだけでなく、音楽や光を取り入れた新たな卓球のプレイスタイルが確立され、卓球設備の魅力が高められるものである。
【０００８】
（２）上記（１）項において、前記卓球用具セットは、ラケット、ボール、ネット、及び、卓球台を含み、前記蛍光物質が、前記ラケット、前記ボール、前記ネット、及び、前記卓球台の全てに用いられている卓球設備（請求項２）。
本項に記載の卓球設備は、卓球用具セットとして、ラケット、ボール、ネット、及び、卓球台を含み、これらの全てに蛍光物質が用いられているものである。これにより、蛍光物質の発光を際立たせるために、卓球設備が設置されたエリア内が薄暗くされても、ラケット、ボール、ネット、及び、卓球台の視認性は確保されるため、卓球をプレイする上で何ら支障は生じない。むしろ、常に動いているラケットやボール等は、通常の明るさの中で特に発光しない場合と比較して、視認性が向上されることになる。
【０００９】
（３）上記（２）項において、前記ラケットの打球部の外周面と、前記ボールの表面の少なくとも一部と、前記卓球台に設置された状態の前記ネットの上下端と、前記卓球台のサイドライン及びエンドラインとに、前記蛍光物質が用いられている卓球設備（請求項３）。
本項に記載の卓球設備は、蛍光物質が用いられる部分を規定するものであり、ラケットの場合は、ボールが接触する打球部の外周面、すなわち、ラケットの表面の縁と裏面の縁とを接続する略円弧状に延在する面に、蛍光物質が用いられる。これにより、例えばラケットのラバー（打球部）に蛍光物質が用いられる場合と比較して、ラケットの軌道が視認され易くなるものである。又、ボールに用いられる蛍光物質は、ボールの表面の少なくとも一部に用いられる。更に、ネットに用いられる蛍光物質は、卓球台に設置された状態で卓球台の幅方向に延在する、ネットの上下端の夫々に用いられ、卓球台に用いられる蛍光物質は、卓球台のサイドライン及びエンドラインに用いられる。これによって、卓球のプレイ中にボールを打ち込むべき位置が明確に把握され、又、ネットインやエッジボール等の判定が容易になるものである。
【００１０】
（４）上記（１）から（３）項において、前記音響機器は、天吊りのスピーカーと、天吊りのサブウーファーとを含む卓球設備（請求項４）。
本項に記載の卓球設備は、音響機器が天吊りのスピーカーと天吊りのサブウーファーとを含むことで、卓球のプレイの邪魔にならない位置から音が出力されながらも、特にサブウーファーによって迫力ある低音が実現されるものである。更に、スピーカー及びサブウーファーが天吊りであることで、設置位置の自由度が向上されるため、卓球設備が設置される部屋の形状等が考慮された効果的な音響のための配置が、容易に実現されるものとなる。
【００１１】
（５）上記（１）から（４）項において、前記照射手段により照射される光と、前記音響機器により流される音楽とが連動している卓球設備（請求項５）。
本項に記載の卓球設備は、照射手段により照射される光と、音響機器により流される音楽とが連動していることで、卓球用具セットに用いられている蛍光物質の発光による視覚的刺激と、音楽による聴覚的刺激とが融和し、卓球設備の魅力がより一層高められるものである。
【考案の効果】
【００１２】
本考案は上記のような構成であるため、卓球設備の魅力を高めることが可能となる。
【図面の簡単な説明】
【００１３】
【図１】本考案の実施の形態に係る卓球設備の構成の一例を示すブロック図である。
【図２】図１の卓球設備における卓球用具セットの発光箇所を示す斜視図である。
【図３】図１の卓球設備における音響機器の配置の一例を示すレイアウト図である。
【考案を実施するための形態】
【００１４】
以下、本考案を実施するための形態を、添付図面に基づき説明する。なお、図面の全体にわたって、同一部分又は対応する部分は、同一符号で示している。
図１は、本考案の実施の形態に係る卓球設備１０の構成の一例を示している。図示のように、卓球設備１０は、卓球用具セット１２と照射手段４０と音響機器６０とを含み、卓球用具セット１２は、一対のラケット１４、ボール（ピンポン球）１８、ネット２０、及び、卓球台２４を含んでいる。すなわち、卓球用具セット１２は、卓球をプレイするための用具一式である。
【００１５】
卓球用具セット１２に含まれる用具の各々には、照射手段４０から照射される光を受けて発光する蛍光物質が用いられており、図２には、卓球用具セット１２を斜視図で示すと共に、蛍光物質が用いられた部分をグレーで着色して示している。すなわち、図２に示すように、一対のラケット１４の各々は、その打球部１６の外周面１６ａに蛍光物質が用いられており、ボール１８は、その表面の略全体に蛍光物質が用いられている。又、ネット２０は、ネット固定具２２によって卓球台２４に設置された状態における、上端２０ａ及び下端２０ｂの夫々に蛍光物質が用いられ、卓球台２４は、その天板の縁に位置するサイドライン２６及びエンドライン２８に、蛍光物質が用いられている。
【００１６】
上述した蛍光物質は、塗料に含まれた状態で塗布されていてもよく、各用具を形成している材料そのものに蛍光物質が含まれていてもよい。又、照射手段４０から照射される光を受けて発光する際の発光色が、用具や部位毎に異なっていてもよい。更に、蛍光物質が用いられる部分は、図２の例に限定されるものではなく、任意の部分に用いることができる。例えば、ネット２０を卓球台２４に固定しているネット固定具２２や、卓球台２４のセンターライン３０に、蛍光物質が用いられていてもよく、ネット２０の網部分に蛍光物質が用いられていてもよい。又、ボール１８の表面全体ではなく、ボール１８の表面の一部に、ボール１８の回転が分かるような形状で、蛍光物質が用いられていてもよい。
【００１７】
図１に戻り、照射手段４０は、所謂ブラックライトと呼ばれるものであって、僅かに視認可能な長波長の紫外線を照射して、卓球用具セット１２に含まれる蛍光物質を発光させるものである。このような照射手段４０には、蛍光灯タイプ、電球タイプ、ＬＥＤタイプといった任意のタイプのライトが使用でき、又、卓球設備１０が設置される部屋（エリア）７０（図３参照）の大きさや形状に合わせて、ライトの数量や設置位置が調整される。更に、照射手段４０は、全てのライトのＯＮ／ＯＦＦが一括で切り替えられるスイッチ機構や、全てのライトに必要な電力を配分するための配線機構等を含んでいてもよい。
【００１８】
音響機器６０は、卓球設備１０が設置される部屋７０に音楽を流すためのものであり、本実施形態では２台の天吊りスピーカー６２、天吊りサブウーファー６４、及び、アンプセット６６を含んでいる。天吊りスピーカー６２及び天吊りサブウーファー６４は、低音や高音を含む音を出力するものであり、天吊りスピーカー６２から出力される音楽と、天吊りサブウーファー６４から出力される低音とは連動している。アンプセット６６は、音源を再生して音質や音量等の調整した後、天吊りスピーカー６２や天吊りサブウーファー６４に出力するものである。例えば、アンプセット６６は、パワーコントロールユニット、オーディオミキサー、スピーカープロセッサー、メモリプレーヤー、パワーアンプ等を含み、これらがラックに収納されて一纏めにされている。
【００１９】
ここで、図３には、卓球設備１０が設置される部屋７０への、音響機器６０の設置レイアウトの一例を示している。図３に示すように、卓球用具セット１２の卓球台２４が略中心に設置された部屋７０において、２台の天吊りスピーカー６２は、平面視矩形の部屋７０の対角位置で、卓球台２４の方へ向けて天井から吊り下げられている。又、天吊りサブウーファー６４は、卓球台２４の直上で天井から吊り下げられており、アンプセット６６は、部屋７０の端部に設けられた収納スペース７２に、半ば収納されるようにして設置されている。
【００２０】
上述したような構成の卓球設備１０は、使用者の意思による任意のタイミングで、照射手段４０や音響機器６０のスイッチをＯＮ／ＯＦＦすることができる。このとき、照射手段４０と音響機器６０とを同時にＯＮ／ＯＦＦできるような構成であってもよく、夫々を別個でＯＮ／ＯＦＦできるような構成であってもよい。更に、照射手段４０のＯＮ／ＯＦＦと連動して、部屋７０の通常の照明がＯＮ／ＯＦＦするようになっていてもよく、当然のことながらこの場合は、照射手段４０がＯＮになるときに通常の照明がＯＦＦになり、照射手段４０がＯＦＦになるときに通常の照明がＯＮになる。
【００２１】
なお、図１〜図３に示した卓球設備１０の構成は一例であって、本考案の実施の形態に係る卓球設備１０を限定するものではなく、図示された構成要素の一部が置換、削除、或いは新たな構成要素が追加されてもよい。例えば、卓球用具セット１２には、卓球をプレイするために必要な用具一式が含まれ、ダブルスを行う際には、当然のことながら２対のラケット１４が含まれることになる。又、図示の実施形態と比較して、音響機器６０の天吊りスピーカー６２の数量がより多くてもよく、更に異なる種類のスピーカーを含んでいてもよい。加えて、音響機器６０の設置レイアウトも、図３の例と異なっていてもよい。又、照射手段４０と音響機器６０とを連動させるような構成であってもよく、この場合は、例えば、音響機器６０により音楽が流されている最中に、所定の音量以上の音が出されたタイミングや、所定の周波数の音が出されたタイミング等において、照射手段４０により照射する光を明滅させたり、光の強さを変化させたりしてもよい。なお、照射手段４０と音響機器６０とは、必ずしも連動させる必要はない。
【００２２】
さて、上記構成をなす本考案の実施の形態によれば、次のような作用効果を得ることが可能である。すなわち、本考案の実施の形態に係る卓球設備１０は、図１及び図２に示すように、卓球をするための卓球用具セット１２、照射手段４０、及び、音響機器６０を含み、卓球用具セット１２には、図２にグレーで着色して示すように、少なくとも一部の視認可能な位置に蛍光物質が用いられている。照射手段４０は、卓球用具セット１２に用いられている蛍光物質を発光させるための光を照射するもの、すなわち、所謂ブラックライトと呼ばれるものであり、この照射手段４０に照らされた卓球用具セット１２は、蛍光物質が用いられている部分が発光することになる。更に、音響機器６０は、卓球設備１０が設置されるエリア７０（図３参照）に音楽を流すものであり、これにより、卓球をプレイしている使用者に対して、蛍光物質の発光による幻想的な視覚的刺激と、音楽によるリズミカルな聴覚的刺激との双方を与えることができ、使用者は高揚感を得ることができる。このため、単純に卓球を楽しむだけでなく、音楽や光を取り入れた新たな卓球のプレイスタイルを確立することができ、卓球設備１０の魅力を高めることが可能となる。
【００２３】
又、本考案の実施の形態に係る卓球設備１０は、卓球用具セット１２として、ラケット１４、ボール１８、ネット２０、及び、卓球台２４を含み、図２で確認できるように、これらの全てに蛍光物質が用いられているものである。これにより、蛍光物質の発光を際立たせるために、卓球設備１０が設置されたエリア７０内が薄暗くされても、ラケット１４、ボール１８、ネット２０、及び、卓球台２４の視認性を確保することができるため、卓球をプレイする上で何ら支障は生じない。むしろ、常に動いているラケット１４やボール１８等は、通常の明るさの中で特に発光しない場合と比較して、視認性を向上することができる。
【００２４】
更に、本考案の実施の形態に係る卓球設備１０は、蛍光物質が用いられる部分の例として、図２に示すように、ラケット１４の場合は、ボール１８が接触する打球部１６の外周面１６ａ、すなわち、ラケット１４の表面の縁と裏面の縁とを接続する略円弧状に延在する面１６ａに、蛍光物質が用いられる。これにより、例えばラケット１４のラバー（打球部１６）に蛍光物質が用いられる場合と比較して、ラケット１４の軌道を視認し易くすることができる。又、ボール１８に用いられる蛍光物質は、ボール１８の表面の少なくとも一部に用いられる。更に、ネット２０に用いられる蛍光物質は、卓球台２４に設置された状態で卓球台２４の幅方向に延在する、ネット２０の上端２０ａ及び下端２０ｂの夫々に用いられ、卓球台２４に用いられる蛍光物質は、卓球台２４のサイドライン２６及びエンドライン２８に用いられる。これによって、卓球のプレイ中にボール１８を打ち込むべき位置を明確に把握することができ、又、ネットインやエッジボール等の判定を容易にすることが可能となる。
【００２５】
しかも、本考案の実施の形態に係る卓球設備１０は、図１及び図３に示すように、音響機器６０が天吊りスピーカー６２と天吊りサブウーファー６４とを含むことで、卓球のプレイの邪魔にならない位置から音を出力しながらも、特にサブウーファー６４によって迫力ある低音を実現することができる。更に、スピーカー６２及びサブウーファー６４が天吊りであることで、設置位置の自由度を向上することができるため、卓球設備１０が設置される部屋７０の形状等を考慮した効果的な音響のための配置を、容易に実現することが可能となる。
【００２６】
又、本考案の実施の形態に係る卓球設備１０は、照射手段４０により照射される光と、音響機器６０により流される音楽とを連動させることとすれば、卓球用具セット１２に用いられている蛍光物質の発光による視覚的刺激と、音楽による聴覚的刺激とを融和させることができ、卓球設備１０の魅力をより一層高めることが可能となる。例えば、使用者が通常の照明をＯＦＦにするのと同時に照射手段４０及び音響機器６０がＯＮになることで、照射手段４０からの光及び卓球用具セット１２の蛍光物質の発光と、スピーカー６２からの音楽及びサブウーファー６４からの振動とにより、通常の卓球の楽しみだけでなく、より一層の高揚感を味わうことができる。
【符号の説明】
【００２７】
１０：卓球設備、１２：卓球用具セット、１４：ラケット、１６：打球部、１６ａ：外周面、１８：ボール、２０：ネット、２０ａ：上端、２０ｂ：下端、２４：卓球台、２６：サイドライン、２８：エンドライン、４０：照射手段、６０：音響機器、６２：天吊りスピーカー、６４：天吊りサブウーファー
【図１】
0003222214.tif 000003
【図２】
0003222214.tif 000004
【図３】
0003222214.tif 000005